(57)【要約】【課題】印刷済み用紙の上方への舞い上がりを抑えて安定した排紙を行い、排紙揃えの乱れを抑制する印刷装置を提供する。【解決手段】外周面に孔版原紙１６を巻装して回転し、印刷用紙２４に対して孔版原紙に対応した画像を転写しながら印刷用紙を下流側に搬送する印刷ドラム２９と、印刷ドラムの外周に分離用エアを吹き付けて、画像が転写された印刷用紙を印刷ドラムから剥がして分離させる分離機構３６と、分離された印刷用紙を搬送ベルト７２の表面側に吸引する吸引手段７３を有し、印刷用紙を排紙口へ向けて搬送する吸引搬送機構７０と、吸引手段の搬送方向下流端よりも上流に形成され、分離用エアの少なくとも一部を排気する通風孔１００とを備えた。【選択図】図２
2014113764.tif 000002
【特許請求の範囲】
【請求項１】
外周面に孔版原紙を巻装して回転し、印刷用紙に対して前記孔版原紙に対応した画像を転写しながら当該印刷用紙を下流側に搬送する印刷ドラムと、
該印刷ドラムの外周に分離用エアを吹き付けて、前記画像が転写された前記印刷用紙を前記印刷ドラムから剥がして分離させる分離機構と、
分離された前記印刷用紙を搬送ベルトの表面側に吸引する吸引手段を有し、当該印刷用紙を排紙口へ向けて搬送する吸引搬送機構と、
前記吸引手段の搬送方向下流端よりも上流に形成され、前記分離用エアの少なくとも一部を排気する通風孔と、
を備えたことを特徴とする印刷装置。
【請求項２】
前記通風孔には、吸気する吸気手段が設けられていることを特徴とする請求項１に記載の印刷装置。
【請求項３】
前記分離機構は、前記分離用エアを生成する分離ファンを備え、
前記吸気手段は、前記分離ファンが兼用されることを特徴とする請求項２に記載の印刷装置。
【請求項４】
前記通風孔の開口部周辺には、前記分離用エアの少なくとも一部を前記通風孔に導く導風板が設けられることを特徴とする請求項１から請求項３のいずれか１項に記載の印刷装置。
【発明の詳細な説明】
【技術分野】
【０００１】
本発明は、印刷装置に係り、特に印刷済みの用紙を安定して排紙し、排紙揃えの乱れを抑制することのできる印刷装置に関する。
【背景技術】
【０００２】
印刷装置の一種として、孔版原紙を用いて印刷を行う孔版印刷装置が知られている。
【０００３】
このような孔版印刷装置では、サーマルヘッドにより加熱穿孔することにより孔版原紙を製版し、この孔版原紙を印刷ドラムの外周部に固定し、印刷ドラムの内側からインクを供給することにより印刷用紙に印刷するようになっている。
【０００４】
このような用紙搬送の不良に起因する排紙揃えに乱れを抑制する技術は種々提案されている。
【０００５】
例えば、特許文献１には、印刷後の用紙搬送を搬送ベルトにエア吸着して行い、且つ、印刷装置からの用紙排出の際に用紙に腰付けを与えるために用紙腰付け板を備え、用紙腰付け板の用紙搬送面に、用紙を搬送面に吸着させるためのエア吸引用の穴を設け、用紙吸引面積を拡大させた印刷装置が開示されている。
【０００６】
このような従来技術によれば、搬送用紙を吸着する範囲を増加させることで排紙する際の用紙挙動の安定性を向上させることが期待できる。
【先行技術文献】
【特許文献】
【０００７】
【特許文献１】特開２００７−２４６１８１号公報
【発明の概要】
【発明が解決しようとする課題】
【０００８】
従来技術では、一般的に、孔版印刷装置において印刷ドラムから印刷用紙を分離するために、印刷ドラムと用紙の間に分離ファンによるエアを吹き付けている。
【０００９】
ところが、印刷用紙を印刷ドラムから分離したエアが、印刷ドラムに当たり、排紙方向に跳ね返って搬送用紙の上方を通り抜けるときに、印刷用紙の表側と裏側とで気圧差が生じ、搬送される印刷用紙が上方に舞い上がる問題が生じていた。
【００１０】
特に、用紙先端が吸引穴の外側まで達した際には、用紙先端についてエアによる吸引力を十分確保できないため、上記のような分離したエアによる気圧差が生じると、用紙先端にバタつきを生じ、用紙搬送が不安定になって、用紙排紙後の排紙揃えに乱れが発生するという問題が生じていた。
【００１１】
また、吸引穴がある箇所であっても、用紙全体に対して吸引力が減少した場合には、同様に分離したエアに起因する用紙先端のバタつきが生じていた。
【００１２】
本発明は、上記課題に鑑みてなされたものであり、印刷済み用紙の先端のバタつきを抑えて安定した排紙を行い、排紙揃えの乱れを抑制することのできる印刷装置を提供することを目的とする。
【課題を解決するための手段】
【００１３】
上記目的を達成するため、本発明に係る印刷装置の第１の態様は、外周面に孔版原紙を巻装して回転し、印刷用紙に対して前記孔版原紙に対応した画像を転写しながら当該印刷用紙を下流側に搬送する印刷ドラムと、当該印刷ドラムの外周に分離用エアを吹き付けて、前記画像が転写された前記印刷用紙を前記印刷ドラムから剥がして分離させる分離機構と、分離された前記印刷用紙を搬送ベルトの表面側に吸引する吸引手段を有し、当該印刷用紙を排紙口へ向けて搬送する吸引搬送機構と、前記吸引手段の搬送方向下流端よりも上流に形成され、前記分離用エアの少なくとも一部を排気する通風孔とを備えたことを特徴とする。
【００１４】
本発明に係る印刷装置の第２の態様は、第１の態様に係る印刷装置において、前記通風孔には、吸気する吸気手段が設けられていることを特徴とする。
【００１５】
本発明に係る印刷装置の第３の態様は、第２の態様に係る印刷装置において、前記分離機構は、前記分離用エアを生成する分離ファンを備え、前記吸気手段は、前記分離ファンが兼用されることを特徴とする。
【００１６】
本発明に係る印刷装置の第４の態様は、第１から第３の態様に係る印刷装置において、  前記通風孔の開口部周辺には、前記分離用エアの少なくとも一部を前記通風孔に導く導風板が設けられることを特徴とする。
【発明の効果】
【００１７】
本発明によれば以下の効果を奏することができる。
【００１８】
すなわち、第１の態様に係る印刷装置では、吸引手段の搬送方向下流端よりも上流に形成され、分離用エアの少なくとも一部を排気する通風孔を備えているので、印刷用紙の上方を通り抜けるエアを除去あるいは減少させることができ、印刷用紙が上方へ舞い上がる力の発生を抑制することができる。
【００１９】
これにより、印刷用紙の安定した排紙が可能となり、印刷済み用紙の先端のバタつきを抑えた安定した排紙を行って、排紙揃えの乱れを抑制することできるという効果を奏することができる。
【００２０】
また、印刷用紙を上方に舞い上げる力を抑制できるため、搬送ベルト側に印刷用紙を吸引する力を小さくすることができ、また吸引する範囲を狭くすることができ、装置の低廉化や小型化に資することができるという効果もある。
【００２１】
第２の態様に係る印刷装置によれば、通風孔には、吸気する吸気手段が設けられているので、より効率的に印刷用紙の上方を通り抜けるエアを除去あるいは減少させることができ、印刷用紙の排紙がより安定し、排紙揃えの乱れを一層抑制することができる。
【００２２】
第３の態様に係る印刷装置によれば、分離機構は、分離用エアを生成する分離ファンを備え、吸気手段は、分離ファンが兼用されるので、部品点数を増やすこと無く、簡易且つ安価な構成で排紙揃えの乱れを抑制することができる。
【００２３】
第４の態様に係る印刷装置によれば、通風孔の開口部周辺には、分離用エアの少なくとも一部を通風孔に導く導風板が設けられるので、簡易な構成で、より効率的に印刷用紙の上方を通り抜けるエアを除去あるいは減少させることができ、印刷用紙の排紙がより安定し、排紙揃えの乱れを一層抑制することができる。
【図面の簡単な説明】
【００２４】
【図１】本実施の形態に係る孔版印刷装置の全体構成を示した概略構成図である。
【図２】本発明の実施形態に係る孔版印刷装置における排紙装置の第１実施例を示す側面図である。
【図３】本発明の実施形態に係る孔版印刷装置における排紙装置の第１実施例を示す一部上面図である。
【図４】本発明の実施形態に係る孔版印刷装置における排紙装置の第２実施例を示す側面図である。
【図５】比較例に係る孔版印刷装置における排紙装置を示す側面図である。
【発明を実施するための形態】
【００２５】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２６】
（印刷装置の全体構成と動作について）
実施形態に係る孔版印刷装置Ｐの全体構成と印刷動作について図１を参照して説明する。
【００２７】
図１に示すように、印刷装置の一例としての本実施の形態に係る孔版印刷装置Ｐは、原稿読取部１と、製版部２と、印刷部３と、給紙部４と、排紙部５と、排版部６とから主に構成されている。
【００２８】
原稿読取部１は、自動原稿送り読取部７と、原稿載置読取部８とを有する。自動原稿送り読取部７は、原稿を載置する斜め傾斜の原稿傾斜板９と、原稿傾斜板９に載置された原稿を搬送する原稿搬送ロール群１０と、搬送された原稿内容を電気信号に変換して読み取るラインイメージセンサ１１とから構成されている。なお、このラインイメージセンサ１１は原稿載置読取部８のものと兼用されている。
【００２９】
原稿載置読取部８は、原稿を載置する水平な原稿載置ガラス台１２と、この原稿載置ガラス台１２上に開閉可能に設けられた圧板１３と、原稿載置ガラス台１２の下方に配置され、パルスモータ（図示せず）の駆動力により移動するガイドベルト１５と、このガイドベルト１５の案内により原稿載置ガラス台１２の下方を移動するラインイメージセンサ１１とを有する。
【００３０】
そして、自動原稿送り読取部７の原稿は、ラインイメージセンサ１１が図１の右端の位置に位置し、原稿搬送ロール群１０により搬送される原稿の内容を読み取る。原稿載置読取部８の原稿は、ラインイメージセンサ１１がガイドベルト１５に案内されて移動し、原稿の内容を読み取るようになっている。
【００３１】
搬送経路Ｒは、原紙収容部１７の下流に配置された第１ガイドロール１８及び第２ガイドロール１９と、この第２ガイドロール１９の直ぐ下流に配置されたプラテンロール２０及び書き込みヘッド２１と、このプラテンロール２０及び書き込みヘッド２１の下流位置で、且つ、原紙カッタ２２の下流に配置された上下一対の第１搬送ロール２３，２３と、この一対の第１搬送ロール２３，２３の下流で、且つ、溜め箱２４の下流に配置された一対の第２搬送ロール２５，２５と、この一対の第２搬送ロール２５，２５の下流に配置された上下一対の第３搬送ロール２６，２６とによって主に形成されている。
【００３２】
プラテンロール２０及び一方の第１搬送ロール２３は、プラテンモータ（図示せず）の駆動力によって同期して回転されるようになっている。
【００３３】
書き込みヘッド２１は、孔版原紙１６の所望箇所に感熱穿孔することによって穿孔画像を形成する例えばサーマルヘッドであり、プラテンロール２０に圧接する位置とプラテンロール２０より離間する離間位置との間で変移されるようになっている。
【００３４】
溜め箱２４は搬送経路Ｒの下方側に配置されており、溜め箱２４の上方側には可動ガイド部材２７が設けられている。この可動ガイド部材２７は、溜め箱２４の入口を塞ぎ、孔版原紙１６を溜め箱２４の上方に沿ってガイドする閉塞位置と、溜め箱２４の入口を開放し、孔版原紙１６の溜め箱２４内への進入を可能とする開放位置との間を可動ガイド板駆動源（図示せず）の駆動によって移動されるようになっている。
【００３５】
上方の第２搬送ロール２５及び上方の第３搬送ロール２６は、搬送モータ（図示せず）の駆動によって同期して回転されるようになっている。
【００３６】
また、一対の第１搬送ロール２３，２３の直ぐ下流で、且つ、溜め箱２４の入口より上流側には待機センサ２８が配置されている。この待機センサ２８は、原紙カッタ２２の下流を検出ポイントとして孔版原紙１６の先端を検出する。待機センサ２８が孔版原紙１６の先端を検出する位置が孔版原紙１６の待機位置である。
【００３７】
印刷部３は、外周部分が多孔構造によるインキ通過性の部材で構成され、メインモータ（図示せず）の駆動力によって矢印Ａ方向に回転するドラム（印刷ドラム）２９と、このドラム２９の外周面に設けられ、孔版原紙１６の先端をクランプするクランプ部２９ａとを有する。
【００３８】
また、印刷部３は、ドラム２９の内部に配置されたスキージロール３０及びドクターロール３１と、この双方のロール３０，３１間にインクを供給するインキ供給部（図示せず）と、ドラム２９の回転に同期して給紙される印刷媒体である印刷用紙３４をドラム２９の外周面側に押圧するプレスロール３５と、このプレスロール３５とドラム２９によって画像転写される位置より下流側のドラム２９の外周に分離用送風（分離用エア）Ａ１を吹き付ける分離機構の一部を構成する分離ノズル３６と、ドラム２９より引き剥がされた印刷用紙３４を排紙側に導く用紙分離爪３７とを備えている。
【００３９】
プレスロール３５は、ドラム２９の外周に圧接する押圧位置と離間する待機位置とをプランジャ（図示せず）の駆動で変移する。
【００４０】
分離ノズル３６には分離ファン３８の空気排出側が接続されている。この分離ファン３８の空気吸引側は、吸引ダクト３９を介して溜め箱２４の最奥位置となる側面２４ａに接続されている。
【００４１】
分離ファン３８は、溜め箱２４内の空気（エア）を吸引し、この吸引した空気を分離ノズル３６に送風するようになっている。
【００４２】
分離ファン３８の駆動（例えば、オン・オフや回転スピード）は、図示しないマイクロコンピュータ等で構成される制御部によって制御され、製版動作時及び印刷動作時の全期間において分離ファン３８を駆動させるようになっている。
【００４３】
また、制御部は、外部指令情報に基づいて分離ファン３８のオン・オフタイミングや回転スピードを制御させるようになっている。この回転スピードを制御することによって分離ファン３８の空気吸引力及び空気送風力が調整できるようになっている。
【００４４】
給紙部４は、印刷媒体である印刷用紙３４が積層される給紙台４０と、この給紙台４０から最上位置の印刷用紙３４のみを移動させる一次給紙ロール４１，４２と、この一次給紙ロール４１，４２によって移動された印刷用紙３４をドラム２９の回転に同期してドラム２９とプレスロール３５との間に給紙する一対の二次給紙ロール４３，４３とを有する。一次給紙ロール４１，４２や二次給紙ローラ４３には各給紙クラッチ（図示せず）を介してメインモータ（図示せず）の回転が選択的に伝達されるように構成されている。
【００４５】
排紙部５は、印刷が完了した印刷用紙３４を搬送する吸引搬送機構７０と、この吸引搬送機構７０によって搬送されて来た印刷済みの印刷用紙３４を積層状態で載置する排紙台４５とを有する。
【００４６】
吸引搬送機構７０は、一対のローラ７１に巻回された搬送ベルト７２と、搬送ベルト７２を駆動するモータ７４（図２等参照）と、ドラム２９から分離された印刷用紙３４を搬送ベルト７２の表面側に吸引する吸引手段７３とから構成されている。
【００４７】
吸引手段７３は、搬送ベルト７２側から生成される負圧によって印刷用紙３４を吸引する負圧式の吸引装置で構成することができる。なお、吸引手段７３は、搬送ベルト７２側から生成される静電力によって印刷用紙３４を吸引する静電式の吸引装置で構成するようにしても良い。
【００４８】
また、図２および図３等に示すように、印刷用紙３４の表面に当たって跳ね返る分離用エアＡ１の少なくとも一部Ａ１’を当該印刷用紙３４から離間する方向に排気する排気手段として、吸引搬送機構７０が有する吸引手段７３の搬送方向下流端よりも上流に形成される１または２以上の通風孔１００が設けられている。
【００４９】
また、通風孔１００の近傍には、印刷用紙３４の表面に当たって跳ね返る分離用エアＡ１の少なくとも一部Ａ１’を当該通風孔１００を介して吸気する吸気手段が設けられており、図２や図４に示す実施例では、吸気手段は、分離ファン３８が兼用されるようになっている。
【００５０】
また、図２や図４に示す実施例では、通風孔１００の搬送ベルト７２側の開口部周辺には、印刷用紙３４の表面に当たって跳ね返る分離用エアＡ１の少なくとも一部Ａ１’を通風孔１００に導く導風板８０が設けられている。
【００５１】
なお、各実施例の詳細については後述する。
【００５２】
排版部６は、ドラム２９に巻き付け装着された孔版原紙１６をドラム２９より引き剥がす排版分離爪４６と、この排版分離爪４６により引き剥がされた孔版原紙１６を搬送する一対の排版ロール４７，４７と、この一対の排版ロール４７，４７によって搬送されて来る孔版原紙１６を収納する排版ボックス４８とを有する。
【００５３】
次に、上記構成の孔版印刷装置Ｐの主に印刷動作および排紙動作について説明する。
【００５４】
製版部２で製版された孔版原紙１６は、ドラム２９の外周に巻き付けられ印刷可能な状態とされる。
【００５５】
そして、印刷動作が選択されると、分離ファン３８が駆動され、分離ノズル３６よりドラム２９の外周に分離用エアＡ１が吹き付けされる。
【００５６】
また、ドラム２９が回転され、このドラム２９の回転に同期して給紙部４より印刷用紙３４が給紙される。この印刷用紙３４が給紙されるタイミングでプレスロール３５がドラム２９の圧接位置に変移し、プレスロール３５によって印刷圧を受けつつ印刷用紙３４がドラム２９の回転で搬送される。この圧接搬送過程で印刷用紙３４に孔版原紙１６の穿孔画像が転写される。
【００５７】
画像転写を受けた印刷用紙３４は、分離ノズル３６からの分離用エアＡ１を受け、この送風圧力等によってドラム２９の外周面から引き剥がされて分離される。
【００５８】
分離された印刷用紙３４は吸引搬送機構７０によって下流に搬送される。
【００５９】
ここで、印刷用紙３４をドラム２９から分離したエアＡ１は、その後ドラム２９に当たり、排紙方向に跳ね返る。
【００６０】
そして、そのエアＡ１は、搬送用紙の上方を通り抜けるときに、印刷用紙３４の先端にバタつきを生じさせる原因となるが、本実施の形態に係る孔版印刷装置Ｐでは、搬送ベルト７２によって搬送される途中において、印刷用紙３４の表面に当たって跳ね返る分離用エアＡ１の少なくとも一部Ａ１’を当該印刷用紙３４から離間する方向に排気する排気手段としての通風孔１００を備えている。
【００６１】
この通風孔１００は、吸引搬送機構７０が有する吸引手段の搬送方向下流端よりも上流に形成されている。
【００６２】
これにより、印刷用紙３４の上方を通り抜けるエアＡ２（図２等参照）を除去あるいは減少させることができ、印刷用紙３４が上方へ舞い上がる力の発生を抑制することができる。
【００６３】
従って、印刷用紙３４の挙動を安定化させた排紙が可能となり、印刷済み用紙の先端のバタつきを抑えた安定した排紙を行って、排紙揃えの乱れを抑制することができる。
【００６４】
排紙台４５に排紙された印刷用紙３４はここで積層状態で載置される。このような印刷動作が所望の枚数分だけ実行されると、給紙動作が停止され、且つ、ドラム２９の回転が停止されると共に分離ファン３８の駆動も停止され、印刷動作が完了する。
【００６５】
（比較例について）
ここで、本実施の形態に係る孔版印刷装置Ｐの排紙装置の実施例を説明するに先立って、図５を参照して、比較例に係る印刷装置における排紙装置５００について説明する。
【００６６】
比較例に係る印刷装置における排紙装置５００では、本実施の形態に係る孔版印刷装置Ｐのように、印刷用紙３４の表面に当たって跳ね返る分離用エアＡ１を当該印刷用紙３４から離間する方向に排気する排気手段は設けられていない。
【００６７】
そのため、印刷用紙３４をドラム２９から分離したエアＡ１は、その後ドラム２９に当たり、排紙方向へ向かう跳ね返りエアＡ１’が発生し、その跳ね返りエアＡ１’が印刷用紙３４の上方を通り抜ける際に、印刷用紙３４の表側と裏側で気圧差が生じ、搬送される印刷用紙が上方に舞い上がり、搬送不良を生じさせることとなる。
【００６８】
（第１実施例について）
次に、図２および図３を参照して、本実施の形態に係る孔版印刷装置Ｐにおける排紙装置の第１実施例について説明する。
【００６９】
なお、前述のように図１に基いて説明した構成については、同一符号を付して重複した説明は一部省略する。
【００７０】
第１実施例に係る排紙装置３００において、吸引搬送機構７０は、一対のローラ７１に巻回された搬送ベルト７２と、搬送ベルト７２を駆動するモータ７４と、ドラム２９から分離された印刷用紙３４を搬送ベルト７２の表面側に吸引する吸引手段７３としての負圧式の吸引装置９０とから構成されている。
【００７１】
負圧式の吸引装置９０は、上面側に多数の吸引孔（図示せず）を有する吸引ボックス７６と、この吸引ボックス７６内を吸引する吸引ファン７５とを備えている。
【００７２】
よって、吸引ファン７５により吸引ボックス７６内を吸引すると、上面側の吸引孔に負圧が発生し、搬送ベルト７２上に到来する印刷用紙３４が、搬送ベルト７２の表面側に吸引される。これにより、印刷用紙３４は搬送ベルト７２の表面側に吸着された状態で排紙方向へ搬送される。
【００７３】
一方で、比較例に係る排紙装置５００で説明したように、印刷用紙３４をドラム２９から分離したエアＡ１は、その後ドラム２９に当たり、排紙方向へ向かう跳ね返りエアＡ１’が発生する。
【００７４】
この跳ね返りエアＡ１’は、印刷用紙３４の上方を通り抜ける際に、印刷用紙３４の表側と裏側で気圧差が生じ、印刷用紙３４を上方に引っ張り上げる力が発生する。
【００７５】
そして、この上方に引き上げる力が、用紙搬送用の吸引力を上回る場合には、搬送される印刷用紙３４が上方に舞い上がり、印刷用紙３４の先端にバタつきを生じさせて搬送不良を生じさせてしまう。
【００７６】
そこで、本実施例では、印刷用紙３４の表面に当たって跳ね返る分離用エアＡ１の少なくとも一部Ａ１’を当該印刷用紙３４から離間する方向に排気する排気手段として、吸引搬送機構７０が備える負圧式の吸引装置９０が有する吸引孔の搬送方向下流端よりも上流に形成される２個の通風孔１００が設けられている（図３参照）。
【００７７】
なお、図３に示す実施例では、通風孔１００は２個とされているが、これに限定されるものではなく、１個または３個以上の通風孔１００を設けるようにしても良い。
【００７８】
また、図３に示す実施例では、通風孔１００は、矩形状とされているが、これに限定されるものではなく、丸形状、三角形状、多角形状など任意の形状とすることができる。
【００７９】
この通風孔１００により、印刷用紙３４の上方を通り抜けるエアＡ１’を除去あるいは減少させることができ、印刷用紙３４が上方へ舞い上がる力の発生を抑制することができる。
【００８０】
また、印刷用紙３４を上方に舞い上げる力を抑制できるため、搬送ベルト７２側に印刷用紙３４を吸引する力を小さくすることができ、また吸引する範囲を狭くすることができ、装置の低廉化や小型化に資することができる。
【００８１】
さらに、本実施例においては、図２に示すように、通風孔１００の搬送ベルト７２側の開口部周辺には、印刷用紙３４の表面に当たって跳ね返る分離用エアＡ１の少なくとも一部Ａ１’を通風孔１００に導く導風板８０が設けられている。
【００８２】
この導風板８０は、例えば金属板の折り曲げ加工等により構成することができ、跳ね返りエアＡ１’を効率的に取り込むことができるように、所定の角度で下方に傾斜して取付けられている。
【００８３】
これにより、より効率的に印刷用紙２４の上方を通り抜けるエアＡ１’を除去あるいは減少させることができ、印刷用紙３４の排紙がより安定し、排紙揃えの乱れを一層抑制することができる。
【００８４】
また、本実施例においては、通風孔１００を介して吸気する吸気手段として、分離ファン３８が兼用されている。なお、本実施例において、分離ファン３８は、図２に示すように、上方からエアＡ３を吸引して、分離用エアＡ１として供給するようになっている。そして、分離ファン３８はエアＡ３を吸引する際に、図３に示すように、通風孔１００を介して印刷用紙２４の上方を通り抜けるエアＡ１’を一緒に吸引する。
【００８５】
これにより、部品点数を増やすこと無く、簡易且つ安価な構成で排紙揃えの乱れを抑制することができる。また、図２および図３に示すように、吸気手段としての分離ファン３８の働きにより、印刷用紙３４の上方を通り抜けるエアＡ１’が通風孔１００を介して強制的に外部に導かれるので、より効率的にエアＡ１’を除去あるいは減少させることができ、印刷用紙の排紙がより安定し、排紙揃えの乱れを一層抑制することができる。
【００８６】
本発明者による本実施例に係る排紙装置３００を用いた実験によれば、評価条件（２７℃  ５６％  Ａ２サイズ  坪量４８ｇ  毎分６０枚の速度  機密状態）において、５０枚通紙して用紙舞い上がり回数で比較するという評価基準では、用紙の舞い上がり回数は、０回／５０枚であった。
【００８７】
一方、比較例に係る排紙装置５００を用いた比較実験では、同様の条件下において、用紙の舞い上がり回数は、１０回／５０枚であった。
【００８８】
このように、本発明に係る構成が、印刷用紙３４の舞い上がり抑制に効果的であることが確かめられた。
【００８９】
（第２実施例について）
次に、図４を参照して、本実施の形態に係る孔版印刷装置Ｐにおける排紙装置の第２実施例について説明する。
【００９０】
なお、前述のように図１〜図３に基いて説明した構成については、同一符号を付して重複した説明は省略する。
【００９１】
第２実施例に係る排紙装置４００において、第１実施例に係る排紙装置３００と異なる部分は、分離ファン３８ａの吸気方向を下側から上方へ向かうようにした点と、第１実施例の導風板８０よりもドラム２９側に延びる距離を長くした導風板８０ａを設けた点である。
【００９２】
分離ファン３８ａの吸気方向を逆転させることは、分離ファン３８ａ自体の上下を逆にしたり、あるいは分離ファン３８ａへの通電（プラス、マイナス）を逆にすることで容易に実現できる。
【００９３】
また、導風板８０ａは、例えば金属板の折り曲げ加工等により構成することができ、跳ね返りエアＡ１’を効率的に取り込むことができるように、所定の角度で下方に傾斜して取付けられている。
【００９４】
これにより、吸気手段としての分離ファン３８ａの働きにより、印刷用紙３４の上方を通り抜けるエアＡ１’が通風孔１００を介して強制的に外部に導かれるので、より効率的にエアＡ１’を除去あるいは減少させることができ、印刷用紙３４の排紙がより安定し、排紙揃えの乱れを一層抑制することができる。
【００９５】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【００９６】
例えば、前述の第１実施例および第２実施例では、吸気手段として分離ファン３８、３８ａを兼用する構成を示したが、これに限らず、吸気手段として専用の吸気ファンを設けるようにしても良い。
【００９７】
また、前述の第１実施例および第２実施例では、搬送ベルト側に設けられる吸引手段として負圧式の吸引装置を備える場合を示したが、これに限らず、搬送ベルト側に吸引手段として静電気発生装置等を設けるようにしても良い。
【符号の説明】
【００９８】
Ｐ…孔版印刷装置（印刷装置）
Ａ１…分離用エア
Ａ１’…分離用エアの一部
Ｒ…搬送経路
１…原稿読取部
２…製版部
３…印刷部
４…給紙部
５…排紙部
６…排版部
７…読取部
８…原稿載置読取部
９…原稿傾斜板
１０…原稿搬送ロール群
１１…ラインイメージセンサ
１２…原稿載置ガラス台
１３…圧板
１５…ガイドベルト
１６…孔版原紙
１７…原紙収容部
１８…第１ガイドロール
１９…第２ガイドロール
２０…プラテンロール
２１…ヘッド
２２…原紙カッタ
２３…第１搬送ロール
２４…印刷用紙
２５…第２搬送ロール
２６…第３搬送ロール
２７…可動ガイド部材
２８…待機センサ
２９…ドラム（印刷ドラム）
２９ａ…クランプ部
３０…スキージロール
３０，３１…ロール
３１…ドクターロール
３４…印刷用紙
３５…プレスロール
３６…分離ノズル（分離機構）
３７…用紙分離爪
３８、３８ａ…分離ファン（吸気手段）
３９…吸引ダクト
４０…給紙台
４１，４２…一次給紙ロール
４３…二次給紙ローラ
４３，４３…二次給紙ロール
４５…排紙台
４６…排版分離爪
４７，４７…排版ロール
４８…排版ボックス
７０…吸引搬送機構
７１…ローラ
７２…搬送ベルト
７３…吸引手段
７４…モータ
７５…吸引ファン
７６…吸引ボックス
８０、８０ａ…導風板
９０…吸引装置
１００…通風孔
３００、４００、５００…排紙装置
【図１】
2014113764.tif 000003
【図２】
2014113764.tif 000004
【図３】
2014113764.tif 000005
【図４】
2014113764.tif 000006
【図５】
2014113764.tif 000007